【手続補正書】
【提出日】平成20年7月11日(2008.7.11)
【手続補正１】
【補正対象書類名】特許請求の範囲
【補正対象項目名】全文
【補正方法】変更
【補正の内容】
【特許請求の範囲】
【請求項１】
被験者から呼気を採取するために用いる呼気採取袋と、被験者から採取した呼気に含まれるエタノールの濃度を測定する接触燃焼式ガスセンサとを備えた呼気エタノール濃度測定システムであって、
前記接触燃焼式ガスセンサは、導電性コイルに、酸化コバルトを含有し、かつエタノールと反応する第一の燃焼触媒を被覆してなる検知素子と、該検知素子と同一の材質及び同一の形状の導電性コイルに、エタノールと反応しない第二の燃焼触媒を被覆してなる補償素子とを配置した測定素子部と、該検知素子と、該補償素子と、ブリッジ抵抗とを用いて形成されるブリッジ回路と、該検知素子及び該補償素子を２５０〜３５０℃の所定の温度に維持する電圧制御部とを有し、
前記呼気採取袋は、被験者から採取した呼気を収容し、保存する本体と、該本体の外部と内部とを連通するように設けられ、該本体の外部から内部に前記測定素子部を導入するための測定素子部導入路とからなり、
前記測定素子部導入路は、前記本体の外部から内部に被験者の呼気を導入するための呼気導入路を貫通可能とし、該呼気導入路を前記測定素子部導入路から除去した後には、前記本体の内圧により前記本体の内部から外部への前記被験者の呼気の流出を防止する逆止機能を備えたものであることを特徴とする呼気エタノール濃度測定システム。
【請求項２】
前記呼気採取袋は、前記測定素子部導入路を形成する材質の厚さが前記本体を形成する材質の厚さよりも肉厚であることを特徴とする請求項１に記載の呼気エタノール濃度測定システム。
【請求項３】
被験者から呼気を採取するために用いる呼気採取袋と、被験者から採取した呼気に含まれるエタノールの濃度を測定する接触燃焼式ガスセンサとを備えた呼気エタノール濃度測定システムであって、
前記接触燃焼式ガスセンサは、導電性コイルに、酸化コバルトを含有し、かつエタノールと反応する第一の燃焼触媒を被覆してなる検知素子と、該検知素子と同一の材質及び同一の形状の導電性コイルに、エタノールと反応しない第二の燃焼触媒を被覆してなる補償素子とを配置した測定素子部と、該検知素子と、該補償素子と、ブリッジ抵抗とを用いて形成されるブリッジ回路と、該検知素子及び該補償素子を２５０〜３５０℃の所定の温度に維持する電圧制御部とを有し、
前記呼気採取袋は、被験者から採取した呼気を収容し、保存する本体と、該本体の外部と内部とを連通するように設けられ、該本体の外部から内部に被験者の呼気を導入する呼気注入路と、該本体の外部から内部に前記測定素子部を導入するための測定素子部導入口とを有する
ことを特徴とする呼気エタノール濃度測定システム。
【請求項４】
前記呼気注入路は、前記本体の内圧により前記本体の外部に被験者から採取した呼気の流出を防止する第一の流出防止手段を有することを特徴とする請求項３に記載の呼気エタノール濃度測定システム。
【請求項５】
前記測定素子部導入口は、前記測定素子部を導入することにより開放状態となる第二の流出防止手段を有することを特徴とする請求項３又は４に記載の呼気エタノール濃度測定システム。
【請求項６】
前記第二の燃焼触媒は、酸化ニッケルを含有してなることを特徴とする請求項１〜５のいずれか１項に記載の呼気エタノール濃度測定システム。
【請求項７】
請求項１〜６のいずれか１項に記載の呼気エタノール濃度測定システムに用いる接触燃焼式ガスセンサ。
【請求項８】
請求項１〜６のいずれか１項に記載の呼気エタノール濃度測定システムに用いる呼気採取袋。
【手続補正２】
【補正対象書類名】明細書
【補正対象項目名】００１４
【補正方法】変更
【補正の内容】
【００１４】
即ち、本発明の第一の呼気アルコール濃度測定システムは、被験者から呼気を採取するために用いる呼気採取袋と、被験者から採取した呼気に含まれるエタノールの濃度を測定する接触燃焼式ガスセンサとを備えた呼気エタノール濃度測定システムであって、前記接触燃焼式ガスセンサは、導電性コイルに、酸化コバルトを含有し、かつエタノールと反応する第一の燃焼触媒を被覆してなる検知素子と、該検知素子と同一の材質及び同一の形状の導電性コイルに、エタノールと反応しない第二の燃焼触媒を被覆してなる補償素子とを配置した測定素子部と、該検知素子と、該補償素子と、ブリッジ抵抗とを用いて形成されるブリッジ回路と、該検知素子及び該補償素子を２５０〜３５０℃の所定の温度に維持する電圧制御部とを有し、前記呼気採取袋は、被験者から採取した呼気を収容し、保存する本体と、該本体の外部と内部とを連通するように設けられ、該本体の外部から内部に前記測定素子部を導入するための測定素子部導入路とからなり、前記測定素子部導入路は、前記本体の外部から内部に被験者の呼気を導入するための呼気導入路を貫通可能とし、該呼気導入路を前記測定素子部導入路から除去した後には、前記本体の内圧により前記本体の内部から外部への前記被験者の呼気の流出を防止する逆止機能を備えたものであることを特徴とする。
【手続補正３】
【補正対象書類名】明細書
【補正対象項目名】００１６
【補正方法】変更
【補正の内容】
【００１６】
また、本発明の第二の呼気アルコール濃度測定システムは、被験者から呼気を採取するために用いる呼気採取袋と、被験者から採取した呼気に含まれるエタノールの濃度を測定する接触燃焼式ガスセンサとを備えた呼気エタノール濃度測定システムであって、前記接触燃焼式ガスセンサは、導電性コイルに、酸化コバルトを含有し、かつエタノールと反応する第一の燃焼触媒を被覆してなる検知素子と、該検知素子と同一の材質及び同一の形状の導電性コイルに、エタノールと反応しない第二の燃焼触媒を被覆してなる補償素子とを配置した測定素子部と、該検知素子と、該補償素子と、ブリッジ抵抗とを用いて形成されるブリッジ回路と、該検知素子及び該補償素子を２５０〜３５０℃の所定の温度に維持する電圧制御部とを有し、前記呼気採取袋は、被験者から採取した呼気を収容し、保存する本体と、該本体の内部と連通するように設けられ、該本体の外部から内部に被験者の呼気を導入する呼気注入路と、該本体の外部から内部に前記測定素子部を導入するための測定素子部導入口とを有することを特徴とする。
【手続補正４】
【補正対象書類名】明細書
【補正対象項目名】００１８
【補正方法】変更
【補正の内容】
【００１８】
本発明の好適形態においては、前記呼気注入路は、前記本体の内圧により前記本体の外部に被験者から採取した呼気の流出を防止する第一の流出防止手段をさらに備えている。また、前記測定素子部導入口には、前記測定素子部を導入することにより開放状態となる第二の流出防止手段を接続する。さらに、前記第二の燃焼触媒は、酸化ニッケルを含有してなる。
【手続補正５】
【補正対象書類名】明細書
【補正対象項目名】００４６
【補正方法】変更
【補正の内容】
【００４６】
第一の燃焼触媒２３には、被験者から採取した呼気１４から低濃度のアルコール濃度を高精度で感知できるようにするため、酸化コバルトを含有し、かつエタノールに活性があるものを使用する。ここにいう酸化コバルトは、一酸化コバルト（ＣｏＯ）、四酸化三コバルト（Ｃｏ３Ｏ４）、二酸化コバルト（ＣｏＯ２）、三酸化二コバルト（Ｃｏ２Ｏ３）をいう。なお、酸化コバルトには、酸化銅（ＣｕＯ）を混合してもよく、例えば、四酸化三コバルトと酸化銅は、モル重量比に換算すると、Ｃｏ３Ｏ４：ＣｕＯ＝４：１〜１：３にあるのが望ましい。